(57)【要約】【課題】電池の交換作業における作業性の向上を図る【解決手段】非常用照明器具１は、常用照明装置２と、非常用照明装置３と、非常用照明装置３に給電する電池ユニット４と、器具本体１０とを備える。器具本体１０は、固定部材５と、固定部材５に取り付けられて電池ユニット４を着脱可能に保持する保持部材７と、電池ユニット４及び保持部材７を覆うようにして固定部材５に結合されるカバー部材６とを有する。カバー部材６は、電池ユニット４と対向する部位に、電池ユニット４が通過可能な窓６７を有している。常用照明装置２は、窓６７を覆い隠すようにカバー部材６に取り付けられる取付状態と、窓６７を露出させるようにカバー部材６に仮保持される仮保持状態との間で変位可能に構成されている。【選択図】        図１
2018147758.tif 000002
【特許請求の範囲】
【請求項１】
常用照明を行う常用照明装置と、
非常用照明を行う非常用照明装置と、
前記非常用照明装置に給電する電池と、
前記常用照明装置、前記非常用照明装置及び前記電池を支持する器具本体と
を備え、
前記器具本体は、
造営材に固定される固定部材と、
前記固定部材に取り付けられて前記電池を着脱可能に保持する保持部材と、
前記電池及び前記保持部材を覆うようにして前記固定部材に結合されるカバー部材と
を有し、
前記カバー部材は、前記電池と対向する部位に、前記電池が通過可能な窓を有しており、
前記常用照明装置は、前記窓を覆い隠すように前記カバー部材に取り付けられる取付状態と、前記窓を露出させるように前記カバー部材に仮保持される仮保持状態との間で変位可能に構成されている
ことを特徴とする非常用照明器具。
【請求項２】
前記常用照明装置は、
常用光源と、
前記常用光源を点灯させる常用点灯装置と
を有し、
前記保持部材は、
前記常用点灯装置に対して前記窓に近い位置に配置されている
ことを特徴とする請求項１記載の非常用照明器具。
【請求項３】
前記保持部材は、
前記電池を載せる板状のベースと、
前記ベースとの間で前記電池を挟む挟み片と
を有する
ことを特徴とする請求項１又は２記載の非常用照明器具。
【請求項４】
前記ベースは、長尺の矩形板状に形成されており、
前記保持部材は、前記ベースの長手方向に沿った前記ベースの両端から突出する一対の側壁を有する
ことを特徴とする請求項３記載の非常用照明器具。
【請求項５】
前記ベースは、長尺の矩形板状に形成されており、
前記挟み片は、前記ベースの長手方向の第１端に設けられ、
前記ベースの長手方向の第２端には、前記挟み片から遠ざかるにつれて、その厚み方向に沿って徐々に立ち上がるように傾斜したガイド片が設けられている
ことを特徴とする請求項３又は４記載の非常用照明器具。
【請求項６】
前記器具本体は、前記挟み片と異なる箇所において、前記ベースとの間で前記電池を挟む挟み具を有する
ことを特徴とする請求項３〜５のいずれか１項に記載の非常用照明器具。
【発明の詳細な説明】
【技術分野】
【０００１】
本発明は、非常用照明器具に関し、より詳細には、常用照明装置、非常用照明装置、電池及び常用照明装置と非常用照明装置と電池を支持する器具本体とを備える非常用照明器具に関する。
【背景技術】
【０００２】
従来例として、特許文献１記載の照明装置を例示する。特許文献１記載の照明装置（以下、従来例と呼ぶ）は、照明器具と、照明器具に取り付けられる２本の直管ランプとを備える。照明器具は、長方形状の箱体からなる器具本体と、器具本体を覆うカバーと、点灯装置と、二対のランプソケットと、バッテリーとを備える。点灯装置と二対のランプソケットは、器具本体の底面（被取付板）に固定されている。バッテリーは、被取付板に対して着脱可能に取り付けられている。点灯装置は、常用電源（商用電源）の停電時にバッテリーから供給される電力で２本の直管ランプを点灯させる。
【先行技術文献】
【特許文献】
【０００３】
【特許文献１】特開２０１５−１０９１８６号公報
【発明の概要】
【発明が解決しようとする課題】
【０００４】
ところで、従来例のバッテリーを交換する際、交換作業を行う作業者は、二対のランプソケットから２本の直管ランプを取り外した後、器具本体からカバーを取り外した状態でバッテリーを交換しなければならない。そのため、従来例は、バッテリー（電池）の交換作業に手間がかかるという問題があった。
【０００５】
本発明の目的は、電池の交換作業における作業性の向上を図ることができる非常用照明器具を提供することである。
【課題を解決するための手段】
【０００６】
本発明の一態様に係る非常用照明器具は、常用照明を行う常用照明装置と、非常用照明を行う非常用照明装置と、前記非常用照明装置に給電する電池と、前記常用照明装置、前記非常用照明装置及び前記電池を支持する器具本体とを備える。前記器具本体は、造営材に固定される固定部材と、前記固定部材に取り付けられて前記電池を着脱可能に保持する保持部材と、前記電池及び前記保持部材を覆うようにして前記固定部材に結合されるカバー部材とを有している。前記カバー部材は、前記電池と対向する部位に、前記電池が通過可能な窓を有している。前記常用照明装置は、前記窓を覆い隠すように前記カバー部材に取り付けられる取付状態と、前記窓を露出させるように前記カバー部材に仮保持される仮保持状態との間で変位可能に構成されている。
【発明の効果】
【０００７】
本発明の非常用照明器具は、電池の交換作業における作業性向上を図ることができるという効果がある。
【図面の簡単な説明】
【０００８】
【図１】図１は、本発明の一実施形態に係る非常用照明器具の分解斜視図である。
【図２】図２は、同上の非常用照明器具の斜視図である。
【図３】図３は、同上の非常用照明器具の下面図である。
【図４】図４は、同上の非常用照明器具の前面図である。
【図５】図５は、同上の非常用照明器具の右側面図である。
【図６】図６は、同上の非常用照明器具を示し、仮保持状態の常用照明装置を含む要部の断面図である。
【図７】図７は、同上の非常用照明器具における回路ブロックの斜視図である。
【図８】図８は、同上の回路ブロックの分解斜視図である。
【図９】図９は、同上の非常用照明器具における電池ユニットと保持部材の側面図である。
【図１０】図１０は、同上の非常用照明器具を示し、常用照明装置を省略した要部の斜視図である。
【図１１】図１１は、同上の非常用照明器具を示し、常用照明装置を省略し、かつ、挟み具を取り外した状態の要部の斜視図である。
【図１２】図１２は、同上の非常用照明器具を示し、常用照明装置を省略し、かつ、挟み具と電池ユニットを取り外した状態の要部の斜視図である。
【発明を実施するための形態】
【０００９】
本発明の一実施形態に係る非常用照明器具について、図面を参照して詳細に説明する。以下に説明する非常用照明器具は、例えば、建物の避難経路となる階段の踊り場の天井に設置される階段通路誘導灯である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。例えば、本実施形態の非常用照明器具１は、踊り場の壁に設置されてもかまわない。
【００１０】
本実施形態の非常用照明器具１は、図１〜図５に示すように、常用照明装置２と、非常用照明装置３と、電池ユニット４と、器具本体１０とを備えている。また、非常用照明器具１は、センサ装置１１と、制御装置１２と、回路ブロック９とを備えることが好ましい（図１参照）。なお、以下の説明では、特に断りのない限り、図１に示す向きにおいて、非常用照明器具１の上下、左右及び前後の各方向を規定する。すなわち、非常用照明器具１が階段の踊り場の天井面に設置された状態において、鉛直方向を上下方向とし、階段の位置から見た左右方向を左右方向とし、階段の位置から見て手前を前方向とし、奥を後方向とする。
【００１１】
常用照明装置２は、常用光源２０と、常用光源２０が取り付けられる取付部材２１と、常用光源２０を覆う透光カバー２２と、常用光源２０を点灯する常用点灯装置２６とを備えている（図３及び図６参照）。常用光源２０は、長尺の基板２０１と、基板２０１の表面に実装される多数のＬＥＤ（light emitting diode）２００とを有している。取付部材２１は、金属材料によって長尺の樋状に形成されている。取付部材２１は、長尺の矩形板状に形成された底板２１０と、底板の短手方向（前後方向）における両端から上向きに立ち上がる一対の側板２１１とを有している。常用光源２０は、取付部材２１の底板２１０の下面に取り付けられる。常用点灯装置２６は、常用電源（例えば、商用の交流電源）から供給される交流電力を直流電力に変換するように構成されている。常用点灯装置２６は、取付部材２１の底板２１０の上面に取り付けられる。常用光源２０と常用点灯装置２６は、底板２１０に設けられた挿通孔に挿通される電線によって電気的に接続される。常用光源２０は、電線を介して常用点灯装置２６から直流電力が供給されることによって点灯する。
【００１２】
透光カバー２２は、アクリル樹脂やポリカーボネート樹脂などの透光性を有する合成樹脂材料により上面が開口する長尺の箱形に形成されている。透光カバー２２の下面は、短手方向（前後方向）において両端から中央に向かってなだらかに下向きに突出する曲面形状に形成されている（図１及び図６参照）。なお、透光カバー２２を形成する合成樹脂材料には、拡散材が混入されている。すなわち、常用光源２０から放射される光は、透光カバー２２を透過する際に拡散される。
【００１３】
また、常用照明装置２は、一対の引掛金具２３と、一対の引掛金具２３のそれぞれを移動可能に支持する一対の支持金具２５と、一対の引掛ばね２４とを有している（図６参照）。引掛ばね２４は、ねじりコイルばねからなり、コイル部２４０、第１腕部２４１及び第２腕部２４２を有している（図１及び図６参照）。ただし、第１腕部２４１は、第２腕部２４２よりも十分に長く形成されている。また、第１腕部２４１の先端部分は鉤形に曲げられている（図１参照）。
【００１４】
引掛金具２３は、帯状の金属板がＳ字形状に曲げ加工されて構成されており、引掛片２３０と、支持片２３１と、一対の引掛突起２３２とを有している（図６参照）。一対の引掛突起２３２はそれぞれ、引掛片２３０の先端（後端）から引掛片２３０の短手方向（左右方向）に突出している。支持片２３１は、Ｌ字形状に形成されて引掛片２３０の基端（前端）に繋がっている。
【００１５】
支持金具２５は、矩形板状に形成された本体部２５０を有している。本体部２５０の前端に、引掛ばね２４を保持する保持部２５１と、引掛ばね２４の第２腕部２４２を係止する係止部２５２とが設けられている（図６参照）。また、本体部２５０は、二対の支持片２５３を有している。これら二対の支持片２５３は、本体部２５０の一部がＬ字形に切り起こされることにより、本体部２５０の上面との間に隙間を空けるように形成されている。また、これら二対の支持片２５３は、前後方向及び左右方向に並ぶように配置されている（図６参照）。引掛金具２３の支持片２３１は、これら二対の支持片２５３と本体部２５０の上面との間の隙間に挿通されることにより、前後方向に沿って移動可能に支持されている（図６参照）。つまり、引掛金具２３は、引掛片２３０のほぼ全体を側板２１１の外に突出させる第１位置（図６参照）と、引掛片２３０の後端部分（一対の引掛突起２３２を含む部分）のみを側板２１１の外に突出させる第２位置との間を移動する。
【００１６】
保持部２５１は、引掛ばね２４のコイル部２４０を保持するように構成されている。また、係止部２５２は、引掛ばね２４の第２腕部２４２の先端を係止するように構成されている（図６参照）。したがって、引掛ばね２４は、外力を受けることで第１腕部２４１を取付部材２１から離す向きに撓み、かつ、第１腕部２４１を取付部材２１に近付ける向きの弾性力（ばね力）を生じるように構成されている。
【００１７】
非常用照明装置３は、２つの非常用光源ユニット３０と、１つの非常用電源装置３１とを備えている（図１参照）。ただし、２つの非常用光源ユニット３０は共通の構成を有している。
【００１８】
非常用光源ユニット３０は、非常用光源と、レンズ３００と、カバー３０１と、放熱板とを有している。非常用光源は、実装基板に少なくとも１個のＬＥＤが実装されたＬＥＤモジュールである。非常用光源は、金属材料によって矩形平板状に形成された放熱板の表面に取り付けられている。すなわち、非常用光源は、放熱板と熱的に結合されている。
【００１９】
レンズ３００は、例えば、ガラス製であって、非球面形状の入射面及び出射面を有している。ただし、レンズ３００は、ガラス繊維が混入されることで耐熱性（難燃性）が向上された合成樹脂材料（例えば、ポリカーボネート樹脂など）で形成されてもよい。
【００２０】
カバー３０１は、上面が開口する箱形に形成されている。カバー３０１の下面は、常用照明装置２の透光カバー２２と同様に、短手方向（前後方向）において両端から中央に向かってなだらかに下向きに突出する曲面形状に形成されている。カバー３０１の下面に凹部３０２が形成されている。凹部３０２は、下方から見た形状が楕円形に形成されている。凹部３０２の中央（底）に孔３０３が貫通している。孔３０３は、レンズ３００が挿通可能な形状（楕円形状）に形成されている。
【００２１】
カバー３０１の上面における長手方向の一端に、一対の引掛部３０４が設けられている（図１における右側の非常用光源ユニット３０を参照）。一対の引掛部３０４は、前後方向から見てＬ字状に形成されている。また、カバー３０１の長手方向の他端（右端）に、Ｌ字状の固定片３０５が設けられている。固定片３０５の先端部分に円形のねじ挿通孔３０６が設けられている。カバー３０１の上面に放熱板が取り付けられてカバー３０１の開口部（上面）が放熱板によって閉塞される。
【００２２】
非常用電源装置３１は、常用電源から給電される交流電力を直流電力に変換して電池ユニット４を充電する充電回路と、電池ユニット４から供給される直流電力によって２つの非常用光源ユニット３０の非常用光源を点灯させる点灯回路とを有する。なお、非常用電源装置３１は、常用電源の給電が停止したとき、及び外部からトリガが入力されたときに電池ユニット４から給電される直流電力で点灯回路に各非常用光源ユニット３０の非常用光源を点灯させるように構成されている。
【００２３】
電池ユニット４は、円筒型のニッケル水素電池などの２次電池からなる複数の電池セルと、これら複数の電池セルを収容するケース４０とを備えている（図１参照）。複数の電池セルは、その径方向に沿って１列に並べた状態でケース４０に収容される。ケース４０は、例えば、ポリ塩化ビニル系の樹脂を材料とする熱収縮部材で形成されることが好ましい。すなわち、ケース４０は、熱が加えられることによって収縮し、内部に収容された複数の電池セルを保持するように構成されている。
【００２４】
センサ装置１１は、電波センサ１１０と、センサ取付台１１１とを有する。電波センサ１１０は、ミリ波帯の電波を媒体として人（移動体）を検知し、人を検知したときに人検知信号を制御装置１２に出力するように構成される。センサ取付台１１１は、金属板が曲げ加工されて構成され、電波センサ１１０を保持するように構成される（図１参照）。
【００２５】
制御装置１２は、常用電源から給電されて動作し、センサ装置１１から出力される人検知信号に応じて、常用照明装置２（の常用点灯装置２６）を制御するように構成される。制御装置１２は、センサ装置１１から人検知信号が出力されているとき、常用照明装置２の常用点灯装置２６に出力電流を定格値とするように指示する。また、制御装置１２は、人検知信号が出力されなくなってから所定の待機時間（例えば、数十秒から数分）が経過したとき、常用照明装置２の常用点灯装置２６に出力電流をゼロ又は定格値の半分以下とするように指示する。ただし、制御装置１２は、常用電源が停電したときは全ての動作を停止する。
【００２６】
回路ブロック９は、図７及び図８に示すように、回路基板９０と、回路基板９０を収容するハウジング９１とを有している。回路基板９０の部品面に２つの押釦スイッチ（第１押釦スイッチ９２、第２押釦スイッチ９３）、表示素子９４、受光素子９５、コネクタ９６及び端子台９７が実装されている。表示素子９４は、例えば、緑色光を放射するＬＥＤチップを有している。受光素子９５は、赤外線を通信媒体とする制御信号を受信（受光）し、受信した制御信号から送信フレームを復調するように構成されている。この制御信号は、定期点検の作業を行う作業者に操作されるリモートコントローラから送信される。コネクタ９６は、例えば、ケーブルによって非常用電源装置３１と電気的に接続される。
【００２７】
ハウジング９１は、開口部を有する箱体９１０と、箱体９１０の開口部を塞ぐ蓋体９１１とを有している（図８参照）。箱体９１０の開口部に対向する底板に、４つの孔９１２Ａ〜９１２Ｄが一列に並べて設けられている。これら４つの孔９１２Ａ〜９１２Ｄのうちで右端の孔９１２Ａに、円柱状の操作部材９１３が前後方向（孔９１２Ａの軸方向）に変位可能に嵌め込まれている。回路基板９０は、部品面を底板に対向させるようにしてハウジング９１内に収容されている。第１押釦スイッチ９２の押釦９２０が孔９１２Ａと対向し、第２押釦スイッチ９３の押釦９３０が孔９１２Ｂと対向している。また、表示素子９４が孔９１２Ｃと対向し、受光素子９５が孔９１２Ｄと対向している。つまり、第１押釦スイッチ９２の押釦９２０は、操作部材９１３を介して押操作される。第２押釦スイッチ９３の押釦９３０は、孔９１２Ｂに挿入される治具（例えば、マイナスのドライバーなど）によって押操作される。表示素子９４が発する光は、孔９１２Ｃを通してハウジング９１の外に放射される。リモートコントローラから送信される制御信号が孔９１２Ｄを通して受光素子９５に受信（受光）される。
【００２８】
非常用電源装置３１は、充電回路が動作している場合、回路ブロック９の端子台９７に電気的に接続された電線を通して表示素子９４に電流を流すことで表示素子９４を発光させる。また、非常用電源装置３１は、ケーブルを通して第１押釦スイッチ９２及び第２押釦スイッチ９３の操作状態（オン及びオフ）を監視している。非常用電源装置３１は、第１押釦スイッチ９２がオンされている間、充電回路を停止し、かつ、電池ユニット４から供給される電力で非常用光源ユニット３０を点灯させる。また、非常用電源装置３１は、第２押釦スイッチ９３がオンされると、所定の期間（例えば、３０分間又は６０分間）に充電回路を停止し、かつ、電池ユニット４から供給される電力で非常用光源ユニット３０を点灯させる。そして、非常用電源装置３１は、所定の期間が経過するまで電池ユニット４から供給される電力で非常用光源ユニット３０を点灯させることができたか否かを判定し、その判定結果に応じた周期で表示素子９４を点滅させることが好ましい。また、非常用電源装置３１は、ケーブルを通して受光素子９５で復調される制御信号の送信フレームを受け取る。非常用電源装置３１は、送信フレームを受け取った場合、第２押釦スイッチ９３がオンされたときと同じ処理を行う。
【００２９】
器具本体１０は、図１に示すように、固定部材５と、カバー部材６と、保持部材７とを有している。固定部材５は、長尺の矩形平板状に形成された底板５０と、底板５０の長手方向に沿った両端（前端と後端）から底板５０の厚み方向（下向き）に立ち上がる一対の側板５１とを有している。なお、底板５０と一対の側板５１とは、亜鉛鋼板などの金属板によって一体に形成されている。
【００３０】
底板５０は、複数（図示例では４つ）の長孔５００を有している。これらの長孔５００は、底板５０の長手方向に沿って間隔を空けて設けられている（図１参照）。長孔５００は、踊り場の天井（造営材）に埋設されているアンカーボルトが挿通される。そして、アンカーボルトにナットが締め付けられることによって、固定部材５が天井に固定される。また、底板５０の長手方向（左右方向）のほぼ中央に、丸孔５０１が設けられている（図１参照）。この丸孔５０１は、常用電源からの給電用の電線（電灯線）が挿通される。さらに、底板５０の下面における丸孔５０１の近傍には、端子台１３が取り付けられている。端子台１３には、丸孔５０１から引き込まれる電線が電気的に接続される。
【００３１】
底板５０の下面には、非常用電源装置３１、センサ装置１１、制御装置１２、回路ブロック９及び一対の取付板５２が取り付けられる。非常用電源装置３１は、底板５０の下面における丸孔５０１と丸孔５０１の左側にある２つの長孔５００との間の位置に取り付けられている。センサ装置１１のセンサ取付台１１１は、底板５０の下面における丸孔５０１の前方に取り付けられている。制御装置１２は、底板５０の下面における丸孔５０１と丸孔５０１の右側にある２つの長孔５００との間の位置に取り付けられている。回路ブロック９は、底板５０の下面における長手方向の右端の位置に、取付金具９８によって取り付けられている。取付金具９８は、矩形平板状の金属板によってＬ字状に形成されている。取付金具９８は、底板５０の下面の法線方向（下方向）に対して、回路ブロック９が取り付けられる面を前方へ傾けるように構成されている（図１参照）。
【００３２】
一対の取付板５２は同一の構成を有している。取付板５２は、底板５０に固定される固定片５２０と、固定片５２０の一端から固定片５２０の厚み方向（下方向）に立ち上がる支持片５２１と、支持片５２１の先端（下端）から斜め下向きに突出する固定片５２２とを有している（図１参照）。固定片５２２の中央にねじ孔５２３が設けられている。一対の取付板５２は、底板５０の下面において、左側の２つの長孔５００の間の位置と、右側の２つの長孔５００の間の位置とにそれぞれ１つずつ固定されている（図１参照）。
【００３３】
保持部材７は、ベース７０と、挟み片７１とを有している（図１及び図９参照）。ベース７０は、長尺の矩形板状に形成されている。ベース７０は、その長手方向に沿った両端（前端と後端）から突出する一対の側壁７２を有している。また、ベース７０の長手方向の第１端（右端）に撓み片７１が設けられている。撓み片７１は、概ねＬ字状に形成されている。撓み片７１は、ベース７０の厚み方向（上下方向）に沿ってベース７０の下面と対向している。また、ベース７０の長手方向の第２端（左端）にガイド片７３が形成されている。ガイド片７３は、挟み片７１から遠ざかるにつれて、ベース７０の厚み方向（上下方向）に沿って徐々に下向きに立ち上がるように傾斜している。保持部材７は、ベース７０の上面を底板５０の下面に当てるようにしてベース７０の右端の位置に固定されている（図１参照）。保持部材７は、ベース７０と挟み片７１の間に挟み込むようにして電池ユニット４を保持する（図９参照）。つまり、保持部材７は、ベース７０と挟み片７１の間に電池ユニット４が挿入されれば、自動的に電池ユニット４を保持することができる。しかも、ベース７０の両端から突出している一対の側壁７２によって電池ユニット４がガイドされるので、電池ユニット４は、ベース７０と挟み片７１の間にスムーズかつ確実に挿入される。
【００３４】
カバー部材６は、長尺の矩形状に形成される前面壁６０と、前面壁６０の周縁から上向きに突出する周壁とを有して、上面が開口した箱状に形成されている。前面壁６０は、上面の開口に対して傾斜している。周壁は、前面壁６０の前端から突出する矩形状の第１周壁６１と、前面壁６０の後端から突出する矩形状の第２周壁６２と、前面壁６０の長手方向の両端から突出する一対の三角形状の第３周壁６３とを有している（図１〜図５参照）。さらに、周壁は、第３周壁６３の上端から上向きに突出する矩形状の第４周壁６４と、第２周壁６２の上端から上向きに突出する矩形状の第５周壁６５とを有している（図１及び図５参照）。
【００３５】
また、カバー部材６は、前面壁６０の短手方向（前後方向）における後端寄りの位置に、前面壁６０の表面（下面）から奥（後方）に凹んだ凹部６６を有している（図１参照）。凹部６６は、底壁６６０と、底壁６６０の長手方向（左右方向）に沿って底壁６６０の厚み方向に突出する一対の側壁６６１とを有している（図１及び図６参照）。底壁６６０は、前面壁６０とほぼ平行している。ここで、前面壁６０の前端から前方の側壁６６１の下端までの距離Ｄ１は、前面壁６０の後端から後方の側壁６６１の下端までの距離Ｄ２よりも十分に（例えば、５倍〜６倍程度）長いことが好ましい（図１参照）。
【００３６】
凹部６６の長手方向（左右方向）の一端寄り（右寄り）の位置に、矩形の窓６７が開口している。窓６７は、底壁６６０及び一対の側壁６６１を貫通している。また、底壁６６０の長手方向の両端近くにねじ孔６６２が１つずつ設けられている。さらに、底壁６６０には、２つのねじ挿通孔６６３が設けられている。
【００３７】
また、２つの側壁６６１のうちで後方の側壁６６１に、２つの長孔（引掛孔６６４）が設けられている（図１参照）。これらの引掛孔６６４は、その長手方向を側壁６６１の長手方向（左右方向）に揃えるようにして側壁６６１に設けられている。さらに、底壁６６０の前端寄りの位置に２つの長孔（ばね引掛孔）が設けられている。これらのばね引掛孔は、その長手方向を底壁６６０の長手方向に揃えるようにして底壁６６０に設けられている。
【００３８】
前面壁６０の凹部６６よりも前方の部分に、矩形状の第１貫通孔６０１と矩形状の第２貫通孔６０２が設けられている（図１参照）。第１貫通孔６０１は、前面壁６０の長手方向のほぼ中央に設けられている。第２貫通孔６０２は、前面壁６０の長手方向の一端（右端）に設けられている。
【００３９】
カバー部材６が下方から固定部材５に被せられ、底壁６６０の２つのねじ挿通孔６６３に挿通されるねじのそれぞれが、取付板５２のねじ孔５２３にねじ込まれることによってカバー部材６と固定部材５が結合されて器具本体１０が構成されている。センサ装置１１の電波センサ１１０がカバー部材６の前面壁６０の第１貫通孔６０１に挿通されて前面壁６０の前方に突出する。また、回路ブロック９のハウジング９１の一部（箱体９１０の底板）が第２貫通孔６０２に挿通されて前面壁６０の前方に突出する（図２及び図５参照）。
【００４０】
２つの非常用光源ユニット３０は、カバー部材６の凹部６６における長手方向（左右方向）の両端に１つずつ取り付けられる。すなわち、カバー３０１の長手方向の一端に設けられている一対の引掛部３０４が、凹部６６における長手方向の一端の縁に引っ掛けられる。そして、カバー３０１の固定片３０５のねじ挿通孔３０６に挿通されたねじが、凹部６６の底壁６６０に設けられているねじ孔６６２にねじ込まれることによって、非常用光源ユニット３０が器具本体１０（カバー部材６）に取り付けられている。
【００４１】
常用照明装置２は、透光カバー２２を除く部分（取付部材２１の一対の側板２１１及び常用点灯装置２６など）を凹部６６内に収容し、透光カバー２２を前面壁６０から前方へ突出させるようにして器具本体１０に取り付けられる（図２〜図５参照）。
【００４２】
次に、非常用照明器具１を階段の踊り場の天井に取り付ける場合の作業手順を説明する。取付作業を行う作業者は、まず、固定部材５を天井に取り付ける。すなわち、作業者は、天井から引き出されている電灯線を底板５０の丸孔５０１に挿通した後、底板５０の複数（例えば、右側の１つと左側の１つの合計２つ）の長孔５００のそれぞれにアンカーボルトを挿通する。そして、作業者は、２つの長孔５００のそれぞれに挿通した２本のアンカーボルトにナットを締め付けて固定部材５を天井に固定する。それから、作業者は、丸孔５０１に挿通した電灯線を端子台１３に結線する。
【００４３】
続いて、作業者は、電池ユニット４を保持部材７に保持させる。さらに、作業者は、底板５０に挟み具８を取り付ける。挟み具８は、ねじ挿通孔８００を有する固定板８０と、固定板８０の後端から下向きに伸びた連結板８１と、連結板８１の下端から固定板８０と反対の向きに突出する挟み板８２とを有している（図１参照）。作業者は、固定板８０のねじ挿通孔８００に挿通したつまみねじを底板５０に設けられているねじ孔５３にねじ込むことによって挟み具８を底板５０に取り付ける。底板５０に取り付けられた挟み具８の挟み板８２は、保持部材７に保持されている電池ユニット４の端部（左端部）に当たり、保持部材７のベース７０との間に電池ユニット４を挟み込む。つまり、電池ユニット４は、挟み具８によって保持部材７のベース７０との間で挟み込まれることにより、保持部材７から脱落し難くなっている。
【００４４】
最後に、作業者は、常用照明装置２を器具本体１０に取り付ける。作業者は、常用照明装置２の一対の引掛金具２３をそれぞれ移動させ、それぞれの引掛片２３０を取付部材２１の側板２１１の外に突出させる。そして、作業者は、各引掛金具２３の引掛片２３０を、対応する引掛孔６６４に挿入する。このとき、作業者は、引掛片２３０の先端に設けられている一対の引掛突起２３２のそれぞれを、側壁６６１における引掛孔６６４の縁に引っ掛ける。つまり、常用照明装置２は、各引掛金具２３の一対の引掛突起２３２を支点とし、器具本体１０に対して回転可能に仮保持される（図６参照）。作業者は、常用照明装置２を器具本体１０に仮保持させた状態において、端子台１３から引き出されている電源ケーブルを常用照明装置２の常用点灯装置２６の入力端子に結線する。その後、作業者は、引掛ばね２４の第１腕部２４１の先端部分を凹部６６の底壁６６０のばね引掛孔に挿入し、前面壁６０の下面に常用照明装置２が被さる位置（取付位置）まで常用照明装置２を下から上に向かって回転させる。このとき、引掛金具２３は、引掛片２３０を側板２１１の内側に引っ込める向きに移動する。常用照明装置２は、底壁６６０におけるばね引掛孔の縁に接触している第１腕部２４１の弾性力（ばね力）によって取付位置に保持される。以上の手順で非常用照明器具１が天井に取り付けられる。
【００４５】
次に、図１０〜図１２を参照して電池ユニット４の交換作業の手順を説明する。ただし、図１０〜図１２では常用照明装置２の図示を省略している。
【００４６】
まず、電池ユニット４の交換作業を行う作業者は、常用照明装置２の透光カバー２２に指を掛け、透光カバー２２の前端部を下向きに引き下ろすようにして常用照明装置２を前から後に向かって回転させる。そして、作業者は、引掛ばね２４の第１腕部２４１を撓ませ、第１腕部２４１の先端部分を凹部６６の底壁６６０のばね引掛孔から抜き、一対の引掛片２３０によって常用照明装置２を器具本体１０に仮保持させる（図６参照）。常用照明装置２が器具本体１０に仮保持された状態（仮保持状態）において、保持部材７に保持された電池ユニット４は、凹部６６の窓６７と対向している（図１０参照）。作業者は、つまみねじによって底板５０に固定されている挟み具８を底板５０から取り外す（図１１参照）。そして、作業者は、窓６７から器具本体１０内に手を入れ、電池ユニット４を指で摘まんで保持部材７から取り外し、取り外した電池ユニット４を窓６７から器具本体１０の外に引き出す（図１２参照）。
【００４７】
それから、作業者は、新しい電池ユニット４を窓６７から器具本体１０内に挿入する。このとき、電池ユニット４の先端が保持部材７のガイド片７３に当たってガイドされるので、作業者は、電池ユニット４を一対の側壁７２の間にスムーズに挿入することができる。電池ユニット４は、一対の側壁７２にガイドされながら保持部材７のベース７０と挟み片７１の間に差し込まれて保持部材７に保持される（図１１参照）。そして、作業者は、つまみねじによって挟み具８を底板５０に固定し、挟み具８の挟み板８２とベース７０との間に電池ユニット４を挟み込む（図１０参照）。最後に、作業者は、引掛ばね２４の第１腕部２４１の先端部分を凹部６６の底壁６６０のばね引掛孔に挿入し、取付位置まで常用照明装置２を下から上に向かって回転させる。以上の手順で電池ユニット４の交換作業が完了する。
【００４８】
ここで、特許文献１記載の従来例では、バッテリー交換の際に二対のランプソケットから２本の直管ランプを取り外した後、器具本体からカバーを取り外さなければならなかった。これに対して本実施形態の非常用照明器具１では、常用照明装置２を器具本体１０に仮保持させた状態で器具本体１０の窓６７を通して電池ユニット４を出し入れすることができる。したがって、非常用照明器具１は、特許文献１記載の従来例と比較して、電池ユニット４の交換作業における作業性の向上を図ることができる。特に、非常用照明器具１では、常用照明装置２を器具本体１０に仮保持させた状態で電池ユニット４の交換作業を行うことができる。そのため、脚立に登って交換作業を行う作業者は、従来例のように器具本体から取り外した直管ランプやカバーを床に置くために脚立から降りる必要がない。
【００４９】
また、保持部材７は、器具本体１０の固定部材５において、常用点灯装置２６に対して窓６７に近い位置に配置されている（図３参照）。つまり、非常用照明器具１では、ほぼ常時動作している常用点灯装置２６の発する熱で器具本体１０内の雰囲気温度が上昇しても、窓６７に近い位置に配置されている電池ユニット４の温度上昇が抑制される。その結果、非常用照明器具１は、器具本体１０内の雰囲気温度の上昇による電池ユニット４の短寿命化の抑制を図ることができる。
【００５０】
上述のように非常用照明器具１は、常用照明を行う常用照明装置２と、非常用照明を行う非常用照明装置３と、非常用照明装置３に給電する電池（電池ユニット４）と、常用照明装置２、非常用照明装置３及び電池ユニット４を支持する器具本体１０とを備える。器具本体１０は、造営材（天井）に固定される固定部材５と、固定部材５に取り付けられて電池ユニット４を着脱可能に保持する保持部材７と、電池ユニット４及び保持部材７を覆うようにして固定部材５に結合されるカバー部材６とを有する。カバー部材６は、電池ユニット４と対向する部位に、電池ユニット４が通過可能な窓６７を有している。常用照明装置２は、窓６７を覆い隠すようにカバー部材６に取り付けられる取付状態と、窓６７を露出させるようにカバー部材６に仮保持される仮保持状態との間で変位可能に構成されている。
【００５１】
非常用照明器具１は上述のように構成されているので、常用照明装置２を器具本体１０に仮保持させた状態で器具本体１０の窓６７を通して電池ユニット４を出し入れすることができる。したがって、非常用照明器具１は、特許文献１記載の従来例と比較して、電池ユニット４の交換作業における作業性の向上を図ることができる。
【００５２】
非常用照明器具１において、常用照明装置２は、常用光源２０と、常用光源２０を点灯させる常用点灯装置２６とを有することが好ましい。保持部材７は、常用点灯装置２６に対して窓６７に近い位置に配置されていることが好ましい。
【００５３】
非常用照明器具１が上述のように構成されれば、器具本体１０内の雰囲気温度の上昇による電池ユニット４の短寿命化の抑制を図ることができる。
【００５４】
非常用照明器具１において、保持部材７は、電池ユニット４を載せる板状のベース７０と、ベース７０との間で電池ユニット４を挟む挟み片７１とを有することが好ましい。
【００５５】
非常用照明器具１が上述のように構成されれば、ベース７０と挟み片７１の間に電池ユニット４を挿入させることで自動的に保持部材７に電池ユニット４を保持させることができる。
【００５６】
非常用照明器具１において、ベース７０は、長尺の矩形板状に形成されていることが好ましい。保持部材７は、ベース７０の長手方向に沿ったベース７０の両端から突出する一対の側壁７２を有することが好ましい。
【００５７】
非常用照明器具１が上述のように構成されれば、ベース７０の両端から突出している一対の側壁７２によって電池ユニット４がガイドされるので、電池ユニット４をベース７０と挟み片７１の間にスムーズかつ確実に挿入させることができる。
【００５８】
非常用照明器具１において、ベース７０は、長尺の矩形板状に形成されていることが好ましい。挟み片７１は、ベース７０の長手方向の第１端（右端）に設けられることが好ましい。ベース７０の長手方向の第２端（左端）は、挟み片７１から遠ざかるにつれて、その厚み方向に沿って徐々に立ち上がるように傾斜したガイド片７３が設けられていることが好ましい。
【００５９】
非常用照明器具１が上述のように構成されれば、電池ユニット４の先端をガイド片７３に当ててガイドさせるので、電池ユニット４を一対の側壁７２の間にスムーズに挿入させることができる。
【００６０】
非常用照明器具１において、器具本体１０は、挟み片７１と異なる箇所において、ベース７０との間で電池ユニット４を挟む挟み具８を有することが好ましい。
【００６１】
非常用照明器具１が上述のように構成されれば、挟み具８によって保持部材７のベース７０との間で電池ユニット４を挟み込ませることにより、保持部材７から電池ユニット４を脱落し難くすることができる。
【符号の説明】
【００６２】
１  非常用照明器具
２  常用照明装置
３  非常用照明装置
４  電池ユニット（電池）
５  固定部材
６  カバー部材
７  保持部材
８  挟み具
１０  器具本体
２０  常用光源
２６  常用点灯装置
６７  窓
７０  ベース
７１  挟み片
７２  側壁
７３  ガイド片
【図１】
2018147758.tif 000003
【図２】
2018147758.tif 000004
【図３】
2018147758.tif 000005
【図４】
2018147758.tif 000006
【図５】
2018147758.tif 000007
【図６】
2018147758.tif 000008
【図７】
2018147758.tif 000009
【図８】
2018147758.tif 000010
【図９】
2018147758.tif 000011
【図１０】
2018147758.tif 000012
【図１１】
2018147758.tif 000013
【図１２】
2018147758.tif 000014